(57)【特許請求の範囲】
【請求項１】
生成要求受信部と画面生成部と部品格納部と文章要約部と画面ファイル出力部とを備えた画面生成装置が、受信機で再生する映像に同期して当該受信機に提供される情報の画面レイアウトを変更する画面変更方法であって、
前記生成要求受信部が、受信機で再生する映像に同期して提供される情報を表示させる単数または複数の画面レイアウトの構成情報を記述した一つの画面構成メタデータ、前記画面レイアウトに対応した画面構成識別子、及び画面視聴者の属性情報を、前記受信機から受信する受信ステップと、
前記一つの画面構成メタデータに複数の画面レイアウトの構成情報が記述されている場合に、前記画面生成部が当該複数の画面レイアウトの中から前記画面構成識別子又は前記画面視聴者の属性情報に対応した画面レイアウトを決定するレイアウト決定ステップと、
前記画面生成部が前記決定された画面レイアウトに必要な画像ファイルを前記部品格納部から取得して、当該決定された画面レイアウトの画面を生成する画面生成ステップと、
前記画面ファイル出力部が前記生成されたレイアウトの画面のファイルを前記受信機に出力する出力ステップと
を有すること
を特徴とする画面変更方法。
【請求項２】
前記部品格納部には前記画面構成メタデータに記載の画面レイアウトの生成に必要な画像ファイル、及びテンプレートファイルが予め記録されており、前記画面生成部の要求に従い必要に応じて記録する画像ファイル、又はテンプレートファイルの変更を行いこれを前記画面生成部に送信すること
を特徴とする請求項１に記載の画面変更方法。
【請求項３】
前記画面生成部が前記文章要約部に画面レイアウト中の文章の文章要約処理を依頼して、当該文章の要約データを受信する文章要約ステップをさらに有し、
前記文章の要約データを用いて前記画面生成ステップを行うこと
を特徴とする請求項１または２に記載の画面変更方法。
【請求項４】
受信機で再生する映像に同期して当該受信機に提供される情報の画面レイアウトを変更する画面生成装置であって、
受信機で再生する映像に同期して提供される情報を表示させる単数または複数の画面レイアウトの構成情報を記述した一つの画面構成メタデータ、前記画面レイアウトに対応した画面構成識別子、及び画面視聴者の属性情報を、前記受信機から受信する生成要求受信部と、
前記一つの画面構成メタデータに複数の画面レイアウトの構成情報が記述されている場合に当該複数の画面レイアウトの中から前記画面構成識別子又は前記画面視聴者の属性情報に対応した画面レイアウトを決定し、この画面レイアウトに必要な画像ファイルを部品格納部から取得して、当該決定された画面レイアウトの画面を生成する画面生成部と、
前記生成されたレイアウトの画面のファイルを前記受信機に出力する画面ファイル出力部と
を備えたこと
を特徴とする画面生成装置。
【請求項５】
前記部品格納部には前記画面構成メタデータに記載の画面レイアウトの生成に必要な画像ファイル、及びテンプレートファイルが予め記録されており、前記画面生成部の要求に従い必要に応じて記録する画像ファイル、又はテンプレートファイルの変更を行いこれを前記画面生成部に送信すること
を特徴とする請求項４に記載の画面生成装置。
【請求項６】
前記画面生成部は前記画面生成装置に具備された文章要約部に画面レイアウト中の文章の文章要約処理を依頼して、当該文章の要約データを受信する処理をさらに行い、
前記文章の要約データを用いて前記画面生成を行うこと
を特徴とする請求項４または５に記載の画面生成装置。
【請求項７】
請求項４から６のいずれか１項に記載の画面生成装置を構成する各機能部としてコンピュータを機能させるプログラム。
【請求項８】
請求項７に記載のプログラムを記録したことを特徴とする記録媒体。
【発明の詳細な説明】
【技術分野】
【０００１】
本発明は、デジタルデータ放送サービスやＩＰ放送サービスなど映像と同期して情報表示可能なサービスにおいて、ユーザの嗜好や属性、ユーザの指定などに合わせて画面表示レイアウトを変更する技術に関するものである。
【背景技術】
【０００２】
デジタルデータ放送サービスやＩＰ放送サービスなど多くの人に同一の情報を提供するサービスにおいて映像に文字情報や画像情報といった形式で関連情報や広告などを映像と同期して提供することが可能となっている。
【０００３】
例えば、地上デジタル放送サービスでは映像と同期してＢＭＬ（Ｂｒｏａｄｃａｓｔ  Ｍａｒｋｕｐ  Ｌａｎｇｕａｇｅ）で記述された放送内容関連情報、ニュース、若しくは天気予報などといった一般的な情報、映像提供者の情報、又は広告などを提供し、視聴者が関連情報を見たい場合にはリモコン等を用いて情報画面を表示することができる。
【０００４】
また、通信を利用したサービスではユーザの嗜好情報、又は居住地域などの属性情報を個人を特定せずに取得し、ユーザの嗜好に合わせたおすすめ映像などの情報を知らせる仕組みがある(例えば、非特許文献１参照。)。
【０００５】
また、文字情報を要約する技術としては、意味を保存しながら文字数を減らす自然言語処理がある(例えば、特許文献１、２参照。)。
【特許文献１】特開２０００−３３９３０８号公報
【特許文献２】特開２００２−２５９３７１号公報
【非特許文献１】波多野仁、堀口恭太郎、川森雅仁、川添雄彦、「コンテンツレコメンデーション・フィルタリング」、ＮＴＴ技術ジャーナル、(社)電気通信協会、平成１６年５月１日、２００４  Ｖｏｌ．１６  Ｎｏ．５、ｐ．１８‐２１
【発明の開示】
【発明が解決しようとする課題】
【０００６】
従来技術では、放送のように同一の情報を多くの人に提供する場合、映像と同期して表示する情報の表示方法は固定の一通りしかなく、視聴者の属性や視聴環境によって変更することはできなかった。
【０００７】
近年、テレビなどの視聴画面の大画面化や放送映像を受信することが可能な携帯型受信機（携帯電話や携帯情報端末（ＰＤＡ）、ノートパソコンなど）の流通により視聴環境も幅広くなっているが、映像や映像と同期して表示する情報の画面表示比率はどのような視聴環境においても一定である。
【０００８】
例えば、視力のあまりよくない視聴者が小さい画面の受信機で映像とその関連情報を視聴した場合、情報をよく読めないなどの不便を感じるが、見やすいように表示フォントの大きさを変更する仕組みはない。
【０００９】
さらに、携帯電話など映像視聴専用に作られていない画面の場合、画面が縦方向に長かったり、表示画面の縦横の比率が機種によって異なったりしておりその画面内に放送している映像と同じ比率（３：４や１６：９）で表示した場合画面より小さく表示されることになってしまう。
【００１０】
また、表示を変更する機能を受信機の機能として具備しフォントや画面表示レイアウトの変更を実現した場合は、受信機に保持しているテンプレートを使用することが想定されるが、その場合は映像内容と関係なく表示される画面が変わってしまい、映像提供者の意図を害する場合がある。
【００１１】
本発明は上記課題を解決して、映像内容に関連づいた情報表示画面を作成可能であり、視聴者が見やすい表示に変更可能な技術の提供を目的とする。
【課題を解決するための手段】
【００１２】
そこで、上記課題を解決するために、請求項１に記載の発明は、生成要求受信部と画面生成部と部品格納部と文章要約部と画面ファイル出力部とを備えた画面生成装置が、受信機で再生する映像に同期して当該受信機に提供される情報の画面レイアウトを変更する画面変更方法であって、前記生成要求受信部が、受信機で再生する映像に同期して提供される情報を表示させる単数または複数の画面レイアウトの構成情報を記述した一つの画面構成メタデータ、前記画面レイアウトに対応した画面構成識別子、及び画面視聴者の属性情報を、前記受信機から受信する受信ステップと、前記一つの画面構成メタデータに複数の画面レイアウトの構成情報が記述されている場合に、前記画面生成部が当該複数の画面レイアウトの中から前記画面構成識別子又は前記画面視聴者の属性情報に対応した画面レイアウトを決定するレイアウト決定ステップと、前記画面生成部が前記決定された画面レイアウトに必要な画像ファイルを前記部品格納部から取得して、当該決定された画面レイアウトの画面を生成する画面生成ステップと、前記画面ファイル出力部が前記生成されたレイアウトの画面のファイルを前記受信機に出力する出力ステップとを有することを特徴とする。
【００１４】
請求項２に記載の発明は、前記部品格納部には前記画面構成メタデータに記載の画面レイアウトの生成に必要な画像ファイル、及びテンプレートファイルが予め記録されており、前記画面生成部の要求に従い必要に応じて記録する画像ファイル、又はテンプレートファイルの変更を行い、これを前記画面生成部に送信することを特徴とする。
【００１５】
請求項３に記載の発明は、前記画面生成部が前記文章要約部に画面レイアウト中の文章の文章要約処理を依頼して、当該文章の要約データを受信する文章要約ステップをさらに有し、前記文章の要約データを用いて前記画面生成ステップを行うことを特徴とする。
【００１６】
請求項４に記載の発明は、受信機で再生する映像に同期して当該受信機に提供される情報の画面レイアウトを変更する画面生成装置であって、受信機で再生する映像に同期して提供される情報を表示させる単数または複数の画面レイアウトの構成情報を記述した一つの画面構成メタデータ、前記画面レイアウトに対応した画面構成識別子、及び画面視聴者の属性情報を、前記受信機から受信する生成要求受信部と、前記一つの画面構成メタデータに複数の画面レイアウトの構成情報が記述されている場合に当該複数の画面レイアウトの中から前記画面構成識別子又は前記画面視聴者の属性情報に対応した画面レイアウトを決定し、この画面レイアウトに必要な画像ファイルを部品格納部から取得して、当該決定された画面レイアウトの画面を生成する画面生成部と、前記生成されたレイアウトの画面のファイルを前記受信機に出力する画面ファイル出力部とを備えたことを特徴とする。
【００１８】
請求項５に記載の発明は、前記部品格納部には前記画面構成メタデータに記載の画面レイアウトの生成に必要な画像ファイル、及びテンプレートファイルが予め記録されており、前記画面生成部の要求に従い必要に応じて記録する画像ファイル、又はテンプレートファイルの変更を行いこれを前記画面生成部に送信することを特徴とする。
【００１９】
請求項６に記載の発明は、前記画面生成部は前記画面生成装置に具備された文章要約部に画面レイアウト中の文章の文章要約処理を依頼して、当該文章の要約データを受信する処理をさらに行い、前記文章の要約データを用いて前記画面生成を行うことを特徴とする。
【００２０】
請求項７に記載の発明は、請求項４から６のいずれか１項に記載の画面生成装置を構成する各機能部としてコンピュータを機能させるプログラムであることを特徴とする。
【００２１】
請求項８に記載の発明は、請求項７に記載のプログラムを記録したことを特徴とする記録媒体である。
【００２２】
請求項１及び４に記載の発明では、画面構成メタデータ、及び画面構成識別子に基づいて画面レイアウトを決定して、生成した画面ファイルを受信機で表示する。この画面構成識別子は視聴者が指定することが可能である。また、画面構成識別子は受信機が携帯電話であること、表示する文字を大きくすること、文字量を減らすこと等の情報を用いることが可能である。また、複数の画面レイアウトが記載されている画面構成メタデータから、受信した画面構成識別子に対応するものを選択して画面レイアウトを決定することが可能である。
【００２３】
また、請求項１及び４に記載の発明では、画面構成メタデータ、視聴者の属性情報及びに基づいて画面レイアウトを決定して、生成した画面ファイルを受信機で表示する。この場合の画面構成識別子は視聴者の属性情報により画面レイアウトを決定する等の情報を用いることが可能である。また、複数の画面レイアウトが記載されている画面構成メタデータから、受信した属性情報に対応するものを選択して画面レイアウトを決定することが可能である。
【００２４】
請求項２及び５に記載の発明では、受信機に映像を送信する送信元から画像ファイル、及びテンプレートファイルを受信すること等が可能である。
【００２５】
請求項３及び６に記載の発明では、表示情報中の文章の意味を保ったまま文章を短くしてレイアウトを変更することが可能である。これは携帯電話等の表示部が小さいものに文章を表示するとき等に有効である。
【発明の効果】
【００２６】
請求項１〜８に記載の発明によれば、映像内容に関連づいた情報表示画面を表示可能であり、情報表示画面を視聴者が見やすい表示に変更することが可能となる。
【発明を実施するための最良の形態】
【００２７】
以下、実施形態について図面を用いて説明する。
【００２８】
図１は画面生成装置１０の構成図である。図１に示すように画面生成装置１０は生成要求受信部１１、属性情報格納部１２、画面生成部１３、部品格納部１４、文章要約部１５、及び画面ファイル出力部１６を備えている。
【００２９】
生成要求受信部１１では、受信機２０から通信ネットワークを介して受信した画面生成要求、図２に例示する画面構成メタデータ、属性情報、及び視聴者が指定した識別子を受信する。そして、受信した画面構成メタデータ及び視聴者が指定した識別子を画面生成部１３に渡し、受信した属性情報を属性情報格納部１２へ格納する。なお、画面生成部１３が画面構成決定に必要なければ、属性情報については生成要求受信部１１は受信しなくてもよい。この場合には、視聴者が指定した識別子から画面表示レイアウトを決定する。
【００３０】
画面生成部１３では画面構成メタデータに記述されている項目を用いて画面表示レイアウトを生成する。このとき画像データなどの画面の部品となるものは部品格納部１４に問い合わせて取得する。
【００３１】
部品格納部１４では、画面生成部１３からの要求に従い部品となる画像やテンプレートのサイズ変更を行い、画面生成部１３へ渡す。なお、画面構成メタデータ作成者が画像ファイルを事前に部品格納部１４に格納する操作を行うことが可能である。
【００３２】
画面生成部１３が生成した画面は画面ファイル出力部１６へ渡し、画面ファイル出力部１６から通信ネットワークを用いて受信機２０へ画面ファイルを送信する。
【００３３】
画面生成装置１０は、例えば、ＣＰＵ、ＨＤＤ、及びメモリを備え、ＨＤＤにＯＳを記録するコンピュータにより実現することが可能である。
【００３４】
この場合、生成要求受信部１１、及び画面ファイル出力部１６は、インターフェース回路、インターフェースプログラムなどの入出力インターフェースを用いることができる。
【００３５】
また、画面生成部１３はＨＤＤに記録した画面生成プログラムを用いることが可能である。画面生成部１３は画面を生成する段階で、部品格納部１４から受信する画像をメモリに記録しておき、完成した画面ファイルを記録して画面ファイル出力部１６に送信するようにしてもよい。
【００３６】
また、部品格納部１４はＨＤＤ又は画面生成装置１０がアクセス可能なデータベースに記録した画面データ部品情報、及びＨＤＤに記録したサイズ変更プログラムを用いることができる。
【００３７】
また、属性情報格納部１２はＨＤＤ、又はメモリ等に記録した属性情報を用いることができる。
【００３８】
また、文章要約部１５はＨＤＤに記録した文章要約プログラムを用いることができる。
【００３９】
また、上記プログラムを可搬記録媒体に記録させ、これをコンピュータにインストールさせることが可能である。
【００４０】
受信機２０側はブラウザを用いて作成された画面を表示する。
【００４１】
画面生成部１３において、画面構成メタデータに複数のレイアウトがある場合には、視聴者が指定した識別子、又は視聴者の登録済み属性（性別、居住地、嗜好情報など）に基づいて対応する画面表示レイアウトを決定する。
【００４２】
図３に示すレイアウト選択画面３２は画面生成装置１０から提供され視聴中のコンテンツが提供しているレイアウトが表示されている。例えば、レイアウト選択画面３２においておすすめレイアウトを視聴者が選択した場合には視聴者の属性情報に基づいて第１カスタマイズ３３、又は第２カスタマイズ３４が表示される。
【００４３】
また、図４に携帯電話に表示する場合のレイアウト変更画面例を示す。視聴者が指定した識別子、又は視聴者の登録済み属性（性別、居住地、嗜好情報など）として端末形態情報を保持することで基本レイアウト４１から携帯電話の表示画面に適合するような画面表示４２をすることを実現する。携帯電話のように画面が小さい場合は元の情報をすべて表示するためにスクロール作業が必要な場合がある。そのため画面内に情報が納まるように画面生成装置１０が文章要約部１５文章要約機能を使用し、意味内容が変わらないように文章を短くすることも可能である。
【００４４】
画面構成メタデータとしては上記図２に示したように、番組を識別するための番組ＩＤ、及び各レイアウトを区別するためのレイアウト記述部があり、レイアウト記述部の中にレイアウト基本記述部、及び情報表示エリア詳細記述部がある。
【００４５】
番組ＩＤに対して各レイアウト記述部は複数保持することができ、レイアウト記述部に対して基本記述部は一つ、情報表示エリア記述部は複数保持することが可能である。
【００４６】
レイアウト記述部の基本記述部は背景画像のファイル名を指定する項目や映像表示エリアの大きさ、位置を指定する項目、フォントを指定する項目、テキスト情報や画像情報を表示する情報表示エリアを指定する項目、レイアウトを適用する属性項目がある。また、情報表示エリア詳細記述では基本記述部の情報表示エリアのＩＤに対応させたフォント等の詳細情報を記述する。
【００４７】
例えば、上記図３に示すように視聴者の属性に合わせて画面表示レイアウトを変更したい場合、基本画面として基本表示レイアウト３１は映像と同期して送り、第１カスタマイズ３３、第２カスタマイズ３４のレイアウトは画面構成メタデータとして記述する。この場合の画面構成メタデータとしては番組ＩＤとして番組固有のＩＤを付与し、レイアウトＩＤにレイアウト１、レイアウト２に対応するＩＤを記述する。ここで図５に図３に記載した画面表示レイアウトの画面構成メタデータを記述した一例を表示する。
【００４８】
視聴者が実際に使用する場合の利用例としては、図３の基本表示レイアウト画面３１に表示されたボタン等のユーザインターフェースを用いて、表示されたレイアウト選択画面３２において文字サイズの変更やおすすめなどレイアウトを提供者が作った画面から視聴者が選択する方法や、事前設定した情報などを用いて自動に表示する設定などが提供できる。
【００４９】
ここで図６に画面生成装置１０を用いたサービス提供の一例を示す。図６に示すように、放送サービス配信装置６０から映像、及び画面構成メタデータを受信機２０が受信する。受信機２０において表示レイアウトを変更したい場合に、画面構成メタデータ、及び属性情報を画面生成装置１０に送信し、画面生成装置１０から画面変更ファイルを受信して受信機２０において所望の表示レイアウトで映像を表示することが可能となる。
【００５０】
上記実施形態により、従来技術では実現できていなかった、映像と同期した関連情報表示画面を複数表示することができる。これにより視聴者の属性や視聴環境によって表示画面を変更させることが可能になり、視聴者は画面を選択することが可能になる。
【００５１】
例えば、小型のノートパソコンで見ている視聴者向けには情報表示部分を小さく取って映像を邪魔しないように関連情報を表示させたり、視力の悪い人向けには文字のフォントを大きくした情報画面を提供したりすることが可能になる。
【００５２】
映像にくくりついて画面が決まっていることから映像内容を害さずに画面を変更することが可能になる。また、一つの映像に対して複数表示方法を映像提供者側が意図する範囲で提供することにより視聴者ごとに異なる視聴を楽しむことができるようになる。
【００５３】
多くの人に届く放送としては画面そのものを送るのではなくテキスト情報であるためデータ量を小さくすることも可能であり、変更する画面はネットワークを介してサーバから取得することで希望しない視聴者に余分なデータを転送する必要をなくすことができる。
【００５４】
また、自然言語処理を用いることで低いコストで多くの画面レイアウトを作成でき、意味を保存したまま文章を短くすることが可能になるため、１画面で概要を読み取れるようにできるため操作性も向上する。
【図面の簡単な説明】
【００５５】
【図１】情報表示画面生成装置の機能構成図。
【図２】画面構成メタデータ記述項目の一例を示す図。
【図３】受信機側の基本画面変更を行った一例を示す図。
【図４】受信機側基本画面変更を携帯に対して行った一例を示す図。
【図５】画面変更を行った場合の画面構成メタデータ記述の一例を示す図。
【図６】情報表示画面生成装置のサービス提供の一例（サーバ構成）を示す図。
【符号の説明】
【００５６】
１０  画面生成装置
１１  生成要求受信部
１２  属性情報格納部
１３  画面生成部
１４  部品格納部
１５  文章要約部
１６  画面ファイル出力部
２０  受信機
３１  基本表示レイアウト
３２  レイアウト選択画面
３３  第１カスタマイズ
３４  第２カスタマイズ
４１  基本レイアウト
４２  携帯電話表示画面
６０  放送サービス配信装置
【図１】
0004769032.tif 000002
【図２】
0004769032.tif 000003
【図３】
0004769032.tif 000004
【図４】
0004769032.tif 000005
【図５】
0004769032.tif 000006
【図６】
0004769032.tif 000007